(57)【要約】【課題】安全性が高く、しかも移動手摺と手摺枠体との間に形成される隙間の調節作業を必要としないマンコンベアの移動手摺案内装置を得る。【解決手段】閉塞ブラシ１０は、手摺枠体２の上部に、線状部材１２の先端が上方に延長して移動手摺４の下方端部に接するように取り付けられ、移動手摺４と手摺枠体２との間に形成される隙間を閉塞する。閉塞ブラシ１０は、手摺枠体２に例えば両面テープを用いて取り付けられ、立ち上がり部３の外側に沿って設けられる。【選択図】図１
2010202393.tif 000002
【特許請求の範囲】
【請求項１】
マンコンベアの移動手摺を案内するマンコンベアの移動手摺案内装置であって、上記マンコンベアの主枠に対して固定して取り付けられる手摺枠体と、上記手摺枠体と所定間隙を有して配置されるとともに、上記手摺枠体の上部を移動する移動手摺と、上記移動手摺と上記手摺枠体との間の上記所定間隙を閉塞する隙間閉塞部材と、を備えたことを特徴とするマンコンベアの移動手摺案内装置。
【請求項２】
上記隙間閉塞部材は、基台に柔軟性線状部材を多数植設して構成したものであることを特徴とする請求項１に記載のマンコンベアの移動手摺案内装置。
【請求項３】
上記隙間閉塞部材は、上記線状部材の先端が上方に延長して上記移動手摺の下方端部に接するように上記手摺枠体に取り付けられ、上記所定間隙を閉塞することを特徴とする請求項２に記載のマンコンベアの移動手摺案内装置。
【請求項４】
上記隙間閉塞部材は、上記線状部材の先端が水平方向に延長して上記所定間隙を閉塞するように上記手摺枠体に取り付けられることを特徴とする請求項２に記載のマンコンベアの移動手摺案内装置。
【発明の詳細な説明】
【技術分野】
【０００１】
この発明は、エスカレータ、動く歩道などのマンコンベアにおいて、踏み段またはチェーンベルトとともに同一速度で移動する移動手摺の案内装置に関するものである。
【背景技術】
【０００２】
エスカレータ、動く歩道などのマンコンベアにおいては、踏み段またはチェーンベルトとともに同一速度で移動する移動手摺が設けられている。この移動手摺を案内する移動手摺案内装置は、一例を挙げれば図４に示すように構成されている。
【０００３】
即ち、図４において、マンコンベアの搬送路（図示せず）の両側に主枠１が設けられており、この主枠１の上部に手摺枠体２が取り付けられている。この手摺枠体２には立ち上がり部３が形成され、この立ち上がり部３上には踏み段またはチェーンベルトとともに同一速度で移動する移動手摺４が配置されている。移動手摺４は、横断面が下方開口のＣ形状に構成されており、その開口部先端が立ち上がり部３と僅かな間隙Ａ，Ｂを形成して配置されている。
【０００４】
また、移動手摺４は、移動手摺４内に位置し移動手摺４の内面に接して水平回転する案内ローラ５により、間隙Ａ，Ｂを保ちながら案内されて移動する構成となっている。そして、案内ローラ５は、一端が手摺枠体２にねじ部６により固定される支持体７の他端に軸受８を介して回転自在に取り付けられている。
【０００５】
ところで、水平投影面において円弧状をなす曲線エスカレータにおいては、移動手摺４は、図４に見られるように、一方側の内面（図４では左側）が案内ローラ５と接して移動するようになっている。これは、移動手摺４がその張力により、常にエスカレータ湾曲方向の内側に寄って走行し、従って案内ローラ５は移動手摺４の湾曲方向外側の内面に接して水平回転することによるものである。このため、永年の使用により図４に鎖線で示すように、移動手摺４の開口部が拡がってＢ１となり、しかも、この場合に外側の間隙Ａの寸法が増大することはなく、拡がり分は全て内側間隙Ｂにおける寸法の拡大となって現れ、この間隙Ｂ１に利用者の指等が挟まれる危険性が増大する。
【０００６】
また、曲線エスカレータに限らず、一般の直線エスカレータにおいても、移動手摺４が古くなると間隙Ａ，Ｂが拡がることになり、上記同様利用者の指等が挟まれる危険性が存在する。なお、一般に、安全面から間隙Ａと間隙Ｂの和は５ｍｍ以下が好ましいとされている。
【０００７】
上記曲線エスカレータに使用される移動手摺４における問題を解決するために、図４に示す支持体７に替えて、図５（ａ）〜（ｃ）に示すように構成された支持体７を用いることが提案されている。図５（ａ）は支持体７を上から見た図、図５（ｂ）支持体７を正面から見た図、図５（ｃ）は支持体７を下から見た図である。この図５から理解されるように、支持体７を六角鋼で形成するとともに、その下端部の六角鋼横断面中心にねじ部６を設け、上端部に六角鋼横断面の中心からＣ寸法偏心して枢持部９を設けたものである。即ち、支持体７の上下に偏心する軸を形成したものである。そして、この支持体７のねじ部６を移動枠体２に取り付けるとともに、枢持部９に軸受８を枢持させる。このように構成された支持体７を、ねじ部６を支点として回動させて適所でねじ部６を締め付けて固定する。これにより案内ローラ５を移動手摺４の幅方向に移動調節可能にするものである（例えば、特許文献１参照）。
【先行技術文献】
【特許文献】
【０００８】
【特許文献１】特開昭６０−２０４５９２号公報（２頁左下１９行〜右下１３行、第５図〜第７図）
【発明の概要】
【発明が解決しようとする課題】
【０００９】
上記特許文献に開示された技術によれば、移動手摺４と手摺枠体２の立ち上がり部３との隙間を調節することができ、移動手摺４の開口部の拡がりに対して隙間を小さく調節し、安全性が高く、また、移動手摺４の長期使用を可能とする曲線マンコンベアの移動手摺案内装置を提供することができる。
【００１０】
しかし、ここに開示された技術では、移動手摺４と手摺枠体２の立ち上がり部３との隙間を調節することは可能であるが、隙間そのものを閉塞することが出来ない課題がある。また、移動手摺４と手摺枠体２の立ち上がり部３との隙間を調節するのに、手摺枠体２に取り付けられる支持体７のねじ部６を一旦取り外し、支持体７を適宜回転させた後、再びねじ部６を締め付けて手摺枠体２へ取り付ける調整作業を必要とする課題もある。
【００１１】
この発明は、上記課題を解決するためになされたもので、安全性が高く、しかも移動手摺と手摺枠体との間に形成される隙間の調節作業を必要としないマンコンベアの移動手摺案内装置を提供するものである。
【課題を解決するための手段】
【００１２】
この発明に係るマンコンベアの移動手摺案内装置は、マンコンベアの移動手摺を案内するマンコンベアの移動手摺案内装置であって、マンコンベアの主枠に対して固定して取り付けられる手摺枠体と、手摺枠体と所定間隙を有して配置されるとともに、手摺枠体の上部を移動する移動手摺と、移動手摺と手摺枠体との間の所定間隙を閉塞する隙間閉塞部材とを備えたものである。
【発明の効果】
【００１３】
この発明によれば、移動手摺と手摺枠体との間に形成される隙間を隙間閉塞部材により閉塞するので、安全性が高く、しかも移動手摺と手摺枠体との間に形成される隙間の調整作業を必要としないマンコンベアの移動手摺案内装置を提供することができる。
【図面の簡単な説明】
【００１４】
【図１】この発明の実施例１に係るマンコンベアの移動手摺案内装置を説明する断面図である。
【図２】この発明の実施例１に係るマンコンベアの移動手摺案内装置の閉塞ブラシを示す図である。
【図３】この発明の実施例１に係る他のマンコンベアの移動手摺案内装置を説明する断面図である。
【図４】従来のマンコンベアの移動手摺案内装置を説明する断面図である。
【図５】従来のマンコンベアの移動手摺案内装置を説明する図である。
【発明を実施するための形態】
【００１５】
以下、添付の図面を参照して、この発明に係るマンコンベアの移動手摺案内装置について好適な実施例を説明する。なお、この実施例によりこの発明が限定されるものでない。
【実施例１】
【００１６】
図１は、実施例１に係るマンコンベアの移動手摺案内装置を示す図で、（ａ）は直線エスカレータの移動手摺の案内装置に適用した例を示し、（ｂ）は曲線エスカレータの移動手摺の案内装置に適用した例を示している。
【００１７】
実施例１に係るマンコンベアの移動手摺案内装置は、手摺枠体２の上部に形成される移動手摺４との隙間に、立ち上がり部３の外側に沿って隙間閉塞部材である閉塞ブラシ１０を設けたものである。閉塞ブラシ１０は、図２（ａ）〜（ｃ）に示すように、例えばゴム部材からなる基台１１に、例えばナイロン性からなる柔軟性線状部材１２を多数植設することにより構成されている。なお、図２（ａ）は閉塞ブラシ１０の正面図であり、図２（ｂ）は閉塞ブラシ１０の側面図である。また、図２（ｃ）は閉塞ブラシ１０の斜視図である。
【００１８】
上記のように構成された閉塞ブラシ１０は、図１に見られるように、手摺枠体２の上部に、線状部材１２の先端が上方に延長して移動手摺４の下方端部に接するように取り付けられ、移動手摺４と手摺枠体２との間に形成される隙間を閉塞する。閉塞ブラシ１０は、手摺枠体２に例えば両面テープを用いて取り付けられ、立ち上がり部３の外側に沿って設けられる。また、図３は、閉塞ブラシ１０を手摺枠体２の立ち上がり部３に取り付け、線状部材１２の先端が水平方向に延長するようにして移動手摺４と手摺枠体２との間に形成される隙間を閉塞した施工例である。なお、その他の構成については従来技術で説明したのと同様であり、同一符号を付すことにより重複説明を省略する。
【００１９】
以上のように、実施例１に係るマンコンベアの移動手摺案内装置は、移動手摺４と手摺枠体２との間に形成される隙間を閉塞ブラシ１０により閉塞するので、安全性が高く、しかも移動手摺４と手摺枠体２との間に形成される隙間の調整作業を必要としないマンコンベアの移動手摺案内装置を得ることができる。
【符号の説明】
【００２０】
１  主枠
２  手摺枠体
３  立ち上がり部
４  移動手摺
５  案内ローラ
６  ねじ部
７  支持体
８  軸受
９  枢持部
１０  閉塞ブラシ
１１  基台
１２  線状部材
【図１】
2010202393.tif 000003
【図２】
2010202393.tif 000004
【図３】
2010202393.tif 000005
【図４】
2010202393.tif 000006
【図５】
2010202393.tif 000007